(57)【要約】【課題】ロール部の表面に生じた打痕傷を修復する際に、隣り合うロールの設置間隔が短い洗浄装置に取り付けられたロールにおいても、ロールを洗浄装置の稼動部より取り外すことなく、狭い作業空間でも短時間で確実に打痕傷を修復することが可能なロール傷修復用工具を、コストを抑えて安価にて提供する。【解決手段】台座の外周に概円環状の複数のロール片が積層されたロール部を有するロールにおいて、前記ロール部の外周に生じた打痕傷を、積層された前記ロール片の間に挿入させ修復する為のロール傷修復用工具１であって、前記ロール傷修復用工具１は平板状のヘラ部２及び把持部３を有すると共に、長手方向に屈曲あるいは湾曲して形成されてあり、前記把持部３は前記ヘラ部２の基端部５の近傍に固定手段７にて固定して形成されてあるものである。【選択図】      図１
0003143129.tif 000002
【実用新案登録請求の範囲】
【請求項１】
台座の外周に概円環状の複数のロール片が積層されたロール部を有するロールにおいて、前記ロール部の外周に生じた打痕傷を、積層された前記ロール片の間に挿入させ修復する為のロール傷修復用工具であって、前記ロール傷修復用工具は平板状のヘラ部及び把持部を有すると共に、長手方向に屈曲あるいは湾曲して形成されてあり、前記把持部は前記ヘラ部の基端部の近傍に固定手段にて固定して形成されてあることを特徴とするロール傷修復用工具。
【請求項２】
請求項１記載の構成よりなるロール傷修復用工具において、ヘラ部は長手方向における基端部から自由端部に向けて、厚み及び／又は幅が小となるよう形成されてあることを特徴とするロール傷修復用工具。
【請求項３】
請求項１から２記載の構成よりなるロール傷修復用工具において、ヘラ部の側縁部には斜面部が形成されてあることを特徴とするロール傷修復用工具。
【考案の詳細な説明】
【技術分野】
【０００１】
本考案は、台座の外周に概円環状の複数のロール片が積層されたロール部を有するロールにおいて、ロール部の外周に生じた打痕傷を、積層されたロール片の間に挿入させ修復する為のロール傷修復用工具に関するものである。
【背景技術】
【０００２】
この種のロールは、主に平板状の鋼板、非鉄金属板等の被洗浄面に付着した水分、油分、薬品成分等の液体を除去、搾取する為の絞りロールとして、洗浄装置に設置され、使用されている。ところで、前記被洗浄面の端部、角部等がロール部に当接を繰り返すと、ロール片が部分的にへこみ、ロール部の外周に打痕傷が発生する。また、洗浄装置内における被洗浄面の蛇行等の突発的な事故により、被洗浄面の角部がロール部に瞬間的に強打し、前記角部が当接した部位のロール片がロール部の内部に押し込まれると同時に、ロール部の表面が陥没して抉れ、打痕傷となる場合もある。ロール部の内、打痕傷が発生した部分は、被洗浄面に接触しないので、液体が被洗浄面に筋状、斑点状となって不均一に残る。前記の如く、筋状、斑点状となって被洗浄面に不均一に残る液体は、一般的に残滓マークと呼ばれ、残滓マークの発生した鋼板、非鉄金属板等は、品質低下、製品不良につながる。
【０００３】
従来、この種のロールにおいて、ロール部に打痕傷が発生した場合、ロールを洗浄装置の稼動部から取り外し、バイトや砥石等の研磨工具が具備された旋盤に取り付け、打痕傷の生じたロール部を機械的に研磨し、ロール部の表面を平滑にし、打痕傷を修復していた。しかしながら、ロールは大型で重量も重く、前記の如くの機械的な研磨を施す方法では、ロールを洗浄装置の稼動部より取り外し、旋盤まで運搬すると共に、旋盤に取り付けるまでに非常に手間がかかり、さらに、ロール部を研磨し、再び旋盤からロールを取り外して洗浄装置まで運搬し、洗浄装置の稼動部に取り付けることを考慮すると、多大な労力、時間、及び費用を要するという問題があった。
【０００４】
上記問題を解決するために、弾性材料からなる表面層を有するロールの近傍に、そのロール軸と平行にスクリュー軸が配設されると共に、該スクリュー軸を正逆回転させる回転駆動手段が設けられ、このスクリュー軸に螺合してその回転によりロール軸と平行に移動する移動部材に、上記ロール表面に当接可能な砥面を有する研磨部材が取り付けられ、該研磨部材は砥面を有する研磨具本体とその保持枠とから構成され、該保持枠に研磨具本体が移動部材の移動方向を含む面内で揺動可能に枢支されてなる弾性ロールの研磨装置（特許文献１）が考案されている。
【特許文献１】特許第２９１４０９９号公報
【考案の開示】
【考案が解決しようとする課題】
【０００５】
特許文献１の弾性ロールの研磨装置は、ロールの表面に傷が発生した場合、ロールの近傍に、ロール軸と平行に研磨装置が取り付けられる為、ロールを洗浄装置の稼動部より取り外すことなく、ロールの表面を研磨装置により研磨し、傷を修復することができるので、上記に示したロールの洗浄装置からの取り外し、運搬、旋盤への取り付け等に要する多大な労力や時間等の手間は削減することが可能である。
【０００６】
しかしながら、被洗浄面の通板方向における隣り合うロールの設置間隔が短い洗浄装置においては、ロールの表面に傷が発生した場合、上記研磨装置を洗浄装置の内部に設置できるスペースがなく、研磨装置を洗浄装置に取り付けることが極めて難しいという課題を有していた。
【０００７】
また、打痕傷が生じていない本来、修復不要なロール部の部分まで研磨する必要があり、極めて非効率な作業を要するという課題もあった。
【０００８】
さらに、研磨装置を製作するのにコストが嵩むという課題も有していた。
【０００９】
本考案は、上記従来の課題を解決するもので、ロール部の表面に生じた打痕傷を修復する際に、隣り合うロールの設置間隔が短い洗浄装置に取り付けられたロールにおいても、ロールを洗浄装置の稼動部より取り外すことなく、狭い作業空間でも短時間で確実に打痕傷を修復することが可能なロール傷修復用工具を、コストを抑えて安価にて提供することを目的としている。
【課題を解決するための手段】
【００１０】
前記従来の課題を解決する為に、請求項１の考案のロール傷修復用工具は、台座の外周に概円環状の複数のロール片が積層されたロール部を有するロールにおいて、前記ロール部の外周に生じた打痕傷を、積層された前記ロール片の間に挿入させ修復する為のロール傷修復用工具であって、前記ロール傷修復用工具は平板状のヘラ部及び把持部を有すると共に、長手方向に屈曲あるいは湾曲して形成されてあり、前記把持部は前記ヘラ部の基端部の近傍に固定手段にて固定して形成されてあるもので、前記ロール傷修復用工具を用いた打痕傷の修復方法は、作業者が把持部を手で握り、打痕傷が発生した部位の近傍に積層されたロール片の間に、ヘラ部を挿入し、ヘラ部を前後に移動させ、左右に揺り動かすことにより、ロール部の内部に押し込まれたロール片の端部を、ロール部の表面にまで引き出すものである。従って、積層されたロール片の間に、平板状のヘラ部を挿入することにより、打痕傷を修復することができるので、隣り合うロールの設置間隔が短い洗浄装置に取り付けられたロールにおいても、ロールを洗浄装置の稼動部より取り外すことなく、短時間で確実に打痕傷を修復することができる。
【００１１】
本考案のロール傷修復用工具は、長手方向における全長が２００〜４００ｍｍ程度で、狭い作業空間においても作業性が損なわれることなく、迅速、且つ確実に打痕傷を修復することができる。
【００１２】
また、研磨作業のように、本来、修復不要なロール部の部分まで研磨する必要がなく、打痕傷が発生した部分のみを修復すればよいので、作業性が効率的である。
【００１３】
また、ロール傷修復用工具は、長手方向に屈曲あるいは湾曲して形成されているので、直線状の修復用工具を用いる場合に比べて、ヘラ部を、積層されたロール片の間の奥まで挿入することができる。その為、ロール部の外周に生じた打痕傷を修復する際の作業性が向上する。
【００１４】
さらに、ロール傷修復用工具は、大掛かりな機械的な研磨装置と異なり、製作費用が安価で、コストを抑えることができる。
【００１５】
請求項２の考案のロール傷修復用工具は、特に、請求項１のロール傷修復用工具において、ヘラ部は長手方向における基端部から自由端部に向けて、厚み及び／又は幅が小となるよう形成されてあるもので、ヘラ部の自由端部は、基端部に比べて、厚みが肉薄であり、幅が狭く形成されてあることから、打痕傷が発生した部位の近傍における積層されたロール片の間に、ヘラ部の自由端部を挿入しやすくなる。その為、打痕傷を修復する際の作業性が大幅に向上する。
【００１６】
請求項３の考案のロール傷修復用工具は、特に、請求項１から２のロール傷修復用工具において、ヘラ部の側縁部には斜面部が形成されてあるもので、打痕傷が発生した部位の近傍における積層されたロール片の間に、ヘラ部を挿入して打痕傷の修復作業を行う場合、ヘラ部の側縁部に斜面部が形成されてあることから、ロール片の間における左右へのヘラ部の揺動が円滑となり、ロール部の内部に押し込まれたロール片を、ロール部の表面にまで引き出しやすくなる。その為、打痕傷を修復する際の作業性が飛躍的に向上する。
【考案の効果】
【００１７】
請求項１の考案のロール傷修復用工具は、ロールを洗浄装置の稼動部より取り外すことなく、狭い作業空間においても短時間で確実に打痕傷を修復することができる。
【００１８】
また、ロール傷修復用工具は、長手方向に屈曲あるいは湾曲して形成されているので、ヘラ部を、積層されたロール片の間の奥まで挿入することができ、ロール部の外周に生じた打痕傷を修復する際の作業性が向上する。
【００１９】
さらに、ロール傷修復用工具は、製作費用が安価で、コストを抑えることができる。
【００２０】
請求項２の考案のロール傷修復用工具は、打痕傷が発生した部位の近傍における積層されたロール片の間に、ヘラ部の自由端部を挿入しやすく、打痕傷を修復する際の作業性が大幅に向上する。
【００２１】
請求項３の考案のロール傷修復用工具は、ロール片の間における左右へのヘラ部の揺動が円滑となり、ロール部の内部に押し込まれたロール片を、ロール部の表面にまで引き出しやすく、打痕傷を修復する際の作業性が飛躍的に向上する。
【考案を実施するための最良の形態】
【００２２】
以下、本考案の実施の形態について図面を参照しながら説明する。なお、この実施の形態により本考案が限定されるものではない。
【００２３】
（実施例１）
図１は、本考案の第１の実施例におけるロール傷修復用工具の正面図、図２（ａ）は、図１の左側面図、図２（ｂ）は、図１のＡ−Ａ断面図である。
【００２４】
図１、及び図２（ａ）において、ロール傷修復用工具１は、平板状のヘラ部２、及び把持部３を有し、ヘラ部２の基端部５の近傍に位置する上面と下面に、２枚の把持具６、６を重ね合わせ、固定手段である２個の鳩目７、７によりヘラ部２と２枚の把持具６、６が固定され、把持部３が形成されている。ヘラ部２は、ステンレス、鉄、アルミニウム等の金属材料からなり、把持具６は、木材、合成樹脂材料等からなる。ヘラ部２の基端部５の近傍に、把持具６を固定し、把持部３を形成する為の固定手段は、鳩目７以外にも、ヘラ部２と把持部３の接合の強度が保持されるのであれば、ネジ止め、リベット止め、接着等の手段を用いても構わない。
【００２５】
ヘラ部２は、長手方向において屈曲部１１が設けられ、自由端部４と基端部５とでは位相Ｐ１を有して形成されている。また、自由端部４の近傍における厚みＴ２は、基端部５の近傍における厚みＴ１よりも薄く、自由端部４の近傍における幅Ｗ２は、基端部５の近傍における幅Ｗ１よりも狭くなるよう形成されている。
【００２６】
また、図１、及び図２（ｂ）において、ヘラ部２は、長手方向に亘って、鎬部８が形成され、鎬部８から側縁部９に向けて厚みが肉薄となるよう斜面部１０が形成されると共に、幅方向における略中央部には平面部１２が形成されている。
【００２７】
次に、本考案の第１の実施例におけるロール傷修復用工具１を用いて、ロール部の外周に生じた打痕傷を修復する際の作業方法について説明する。
【００２８】
作業者は、ロール傷修復用工具１の把持部３を手で握り、打痕傷が発生した部位の近傍における積層されたロール片の間に、ヘラ部２を挿入する。ヘラ部２の内、特に、自由端部４の近傍を、挿入されたロール片の間で、前後、左右に揺り動かす。前記の動作を繰り返し、ロール部の内部に押し込まれたロール片の端部を、ロール部の表面にまで引き出す。そして、引き出されたロール片の端部を、ヘラ部２の平面部１２で軽く叩き、ロール部の表面を平滑にする。また、ロール傷修復用工具１により、ロール部の内部から表面に引き出されたロール片の端部を、＃１０００程度のサンドペーパー等の研磨紙を用いて、研磨し、ロール部の表面を平滑に仕上げてもよい。
【００２９】
上記の如く構成されたロール傷修復用工具１の動作、作用は下記の通りである。
【００３０】
ロール傷修復用工具１は、積層されたロール片の間に、平板状のヘラ部２を挿入することにより、打痕傷を修復することができるので、隣り合うロールの設置間隔が短い洗浄装置に取り付けられたロールにおいても、ロールを洗浄装置の稼動部より取り外すことなく、短時間で確実に打痕傷を修復することができる。また、狭い作業空間においても作業性が損なわれることなく、迅速、且つ確実に打痕傷を修復することができる。
【００３１】
ロール傷修復用工具１は、長手方向に屈曲部１１が形成されているので、直線状の修復用工具を用いる場合に比べて、ヘラ部２を、積層されたロール片の間の奥まで挿入することができる。その為、ロール部の外周に生じた打痕傷を修復する際の作業性が向上する。特に、洗浄装置内に、上下一対でロールが設置され、下側に設置されたロールのロール部の外周に打痕傷が生じた場合には、狭い作業空間でも、ロール傷修復用工具１を積層されたロール片の間の奥まで挿入できるので、作業がはかどる。
【００３２】
ヘラ部２の自由端部４の近傍は、基端部５の近傍に比べて、厚みＴ２が肉薄であり、幅Ｗ２が狭く形成されてあることから、打痕傷が発生した部位の近傍における積層されたロール片の間に、ヘラ部２の自由端部４を挿入しやすくなる。その為、打痕傷を修復する際の作業性が大幅に向上する。
【００３３】
ヘラ部２の側縁部９に斜面部１０が形成されてあることから、ヘラ部２をロール片の間に挿入した場合、ロール片の間における左右へのヘラ部２の動きが円滑となり、ロール部の内部に押し込まれたロール片を、ロール部の表面にまで引き出しやすくなる。その為、打痕傷を修復する際の作業性が飛躍的に向上する。
【００３４】
また、ロール傷修復用工具１は、大掛かりな機械的な研磨装置と異なり、製作費用が安価で、コストを抑えることができる。
【００３５】
（実施例２）
図３は、本考案の第２の実施例におけるロール傷修復用工具の正面図である。なお、上記第１の実施例と同一部材については、詳しい説明を省略する。
【００３６】
図３において、ロール傷修復用工具２１は、平板状のヘラ部２２、及び把持部２３を有し、ヘラ部２２の基端部２５の近傍に位置する上面と下面に、２枚の把持具２６、２６を重ね合わせ、固定手段である２個の鳩目２７、２７によりヘラ部２２と２枚の把持具２６、２６が固定され、把持部２３が形成されている。
【００３７】
ヘラ部２２は、長手方向において基端部２５から自由端部２４に向けて円弧状に湾曲し、自由端部２４と基端部２５は位相Ｐ２を有すると共に、特に図示しないが、基端部２５から自由端部２４に向けて、厚みが肉薄となるよう形成されている。また、自由端部２４の近傍における幅は、基端部２５の近傍における幅よりも狭くなるよう形成されている。さらに、長手方向に亘って、鎬部２８が形成され、鎬部２８から側縁部２９に向けて厚みが肉薄となるよう斜面部３０が形成されると共に、幅方向における略中央部には平面部３２が形成されている。
【００３８】
上記の如く構成されたロール傷修復用工具２１の動作、作用は下記の通りである。
【００３９】
ヘラ部２２は、ロールを構成するロール部の外形と略同一の円弧状であり、基端部２５から自由端部２４に向けて厚みが肉薄である為、隣り合うロール片の間に、ヘラ部２２の自由端部２４を挿入しやすく、打痕傷を修復する際の作業性の向上を図ることができる。
【産業上の利用可能性】
【００４０】
本考案のロール傷修復用工具は、主に、台座の外周に概円環状の複数のロール片が積層されたロール部を有するロールにおいて、ロールを洗浄装置の稼動部から取り外すことなく、積層されたロール片の間に挿入させ、ロール部の外周に生じた打痕傷を修復するのに用いる。
【図面の簡単な説明】
【００４１】
【図１】本考案の第１の実施例におけるロール傷修復用工具の正面図
【図２】（ａ）図１の左側面図、（ｂ）図１のＡ−Ａ断面図
【図３】本考案の第２の実施例におけるロール傷修復用工具の正面図
【符号の説明】
【００４２】
１、２１  ロール傷修復用工具
２、２２  ヘラ部
３、２３  把持部
４、２４  自由端部
５、２５  基端部
６、２６  把持具
７、２７  鳩目
８、２８  鎬部
９、２９  側縁部
１０、３０  斜面部
１１  屈曲部
１２、３２  平面部
【図１】
0003143129.tif 000003
【図２】
0003143129.tif 000004
【図３】
0003143129.tif 000005